(57)【要約】【課題】管の端部を整えるための管用ばり取り工具を提供する。【解決手段】管用ばり取り工具（１）は、工具と管とが相対的に回転する際に、管の内面のばり取りを行うよう構成されたばり取り手段（２）と、同時に管の外面を整えるよう構成された清浄手段（３）とを備える。ばり取り手段（２）は、縦方向のエッジに丸みがついた角柱で構成される。清浄手段（３）は、筐体（４）内において、ばり取り手段（２）の外面を囲むよう配置された複数のブラシ（２１）を備える。【選択図】図１
2007223029.tif 000002
【特許請求の範囲】
【請求項１】
管用ばり取り工具であって、該工具と管とが相対的に回転する際に、前記管の内面のばり取りを行うよう構成されたばり取り手段と、同時に前記管の外面を整えるよう構成された清浄手段とを備え、前記ばり取り手段が、縦方向のエッジに丸みがついた角柱を備えることを特徴とする管用ばり取り工具。
【請求項２】
前記清浄手段が少なくとも１つのブラシを備えることを特徴とする請求項１記載の管用ばり取り工具。
【請求項３】
前記少なくとも１つのブラシ又は各ブラシが、ブラシフィラメントの細長いストリップを備え、前記ブラシが前記ばり取り部材から径方向に離間され且つ前記ばり取り部材と縦方向に整合することを特徴とする請求項２記載の管用ばり取り工具。
【請求項４】
前記ばり取り部材が略三角柱であることを特徴とする請求項１〜３のいずれか１項記載の管用ばり取り工具。
【請求項５】
前記ばり取り手段及び前記清浄手段が、管を受容するよう構成された開口を有する筐体に収容されることを特徴とする請求項１〜４のいずれか１項記載の管用ばり取り工具。
【請求項６】
管の端部の内面用のばり取り手段であって、前記管と前記ばり取り手段とが相対的に回転する際に、前記管の前記内面の周方向に離間された位置に均等な圧力を加えるよう構成された部材を備えることを特徴とするばり取り手段。
【発明の詳細な説明】
【技術分野】
【０００１】
本発明は、管の端部を整えるための管用ばり取り工具に関する。
【背景技術】
【０００２】
例えば配管の用途においては、管の方向を変えたり、終端させたり、継手やコネクタを用いて他の管とつなげたりするために、管は適切なサイズに切断される。しかし、トリミング、切断又はせん断等によって管を切断すると、管の端部にばりが生じる。ばりがあると、金属又はプラスチックの管が、意図される受容部に嵌らないことがある。特に、金属管のばりは、継手内のシールを損傷することがある。切断された管の端部がコネクタや配管器具に嵌ることや、継手内に信頼性の高いシールが構成されることが確実になるように、端部を滑らかにして、ばりをなくすのが好ましい。更に、ばりは、管の端部近傍の外面と内面との両方に生じ得る。従って、ばり取り工具を用いて、切断した管の端部を整えることは有益である。
【０００３】
管の端部のばり取りを行って管を整える工具は知られており、公知の工具の中には、管の端部の面取りも行うものもある。しかし、公知の工具はどれも、ばりを除去するための鋭利なブラシや刃先を有するので、そのような工具のユーザが怪我をすることがよくある。
【発明の開示】
【発明が解決しようとする課題】
【０００４】
本発明の課題は、管の端部を整えるための管用ばり取り工具を提供することにある。
【課題を解決するための手段】
【０００５】
本発明の第１の態様によれば、管用ばり取り工具であって、工具と管とが相対的に回転する際に、管の内面のばり取りを行うよう構成されたばり取り手段と、同時に管の外面を整えるよう構成された清浄手段とを備え、ばり取り手段が、縦方向のエッジに丸みがついた角柱を備える、管用ばり取り工具が提供される。
【０００６】
これには、管の内面及び外面のばり取りと清浄とが同時に行われるので、１回の作業で管を完全に整えることができるという長所がある。これにより、管を整える仕事が迅速且つ容易になると共に、工具の製造も容易になる。管と工具とが相対的に回転する際に、角柱が、管の内面の離間した位置に略均等な圧力を加える。このようにして、ばり取り手段は、ばりをならして滑らかにする。ばり取り手段が管と接触しない位置で、ばりが落ちることができ、管が変形しないことを確実にできる。
【０００７】
古い管や既存の管の外面には、酸化層や塗装が存在することがある。従って、清浄手段は、管の外面の酸化物を除去するよう構成されるのが好ましい。清浄手段は、管の外面をばり取りする手段を有してもよい。従って、清浄手段は研磨を行うのが好ましい。
【０００８】
ばり取り手段は、工具に挿入された管の内部に延出するよう構成されたばり取り部材を備えるのが好ましい。清浄手段は、少なくとも１つのブラシを備えるのが好ましい。
【０００９】
少なくとも１つのブラシ又は各ブラシは、前記ばり取り部材を囲むのが好ましい。最も好ましくは、少なくとも１つのブラシ又は各ブラシは、ブラシフィラメントの細長いストリップを備え、ブラシは、ばり取り部材から径方向に離間され且つばり取り部材と縦方向に整合する。
【００１０】
ばり取り部材は、略三角柱であると都合がよい。ばり取り部材は、その自由端部に向かってテーパがついているのが好ましい。これにより、管をばり取り部材に挿嵌するのが容易になる。ばり取り部材は、テーパがついた端部の反対側に、丸みのある凹面状のリムを有してもよい。ばり取り部材はベースキャップによって支持されるのが好ましい。ばり取り部材は中実であってステンレス鋼で作られるのが好ましい。
【００１１】
ブラシは３つ設けられるのが好ましい。ブラシは、第１のばり取り手段の周囲に等しい角度で離間されてもよい。ブラシはワイヤブラシであるのが好ましい。
【００１２】
少なくとも１つのブラシ又は各ブラシは、少なくとも１つのブラシフィラメントの房が延出する基部を有してもよい。各ブラシは、基部から延出する６つのブラシフィラメントの房を有するのが好ましい。尚、房のサイズ又は工具のサイズに応じて、例えば２、３、４又は５つの房等の任意の数の房を設けてよいことを認識されたい。或いは、少なくとも１つのブラシ又は各ブラシは、ブラシフィラメントの連続したストリップが延出する基部を有してもよい。
【００１３】
ばり取り手段及び清浄手段は、管を受容するよう構成された開口を有する筐体に収容されるのが好ましい。これにより、ばり取り手段及び清浄手段が筐体によってシールドされ、工具のユーザが怪我をする可能性が大いに低くなるので、特に有利である。筐体は鋳造金属であるのが一般的であるが、プラスチックであってもよい。
【００１４】
本発明の第２の態様によれば、管の端部の内面用のばり取り手段であって、管とばり取り手段とが相対的に回転する際に、管の内面の周方向に離間した位置に均等な圧力を加えるよう構成された部材を備える、ばり取り手段が提供される。
【００１５】
このようなばり取り部材は製造が簡単であるが、内面全体ではなく内面の離間した位置に均等な圧力を加えるので、効果的に動作する。これにより、ばりを除去する又はならすのが容易になり、管の変形を生じずに滑らかにする作業が可能になる。
【００１６】
ばり取り部材は、縦方向のエッジに丸みがついた角柱であるのが好ましい。略三角柱であると都合がよいが、他の任意の形状を用いてもよい。管への挿入が容易になるように、ばり取り部材は、その自由端に向かってテーパがついているのが好ましい。
【発明を実施するための最良の形態】
【００１７】
以下、添付の図面を参照し、本発明のこれらの態様を、例示目的で詳細に説明する。
【００１８】
図示されている管用ばり取り工具１は、管の端部（図示せず）を整えるための手持ち式の工具である。管を整えることには、ばりの除去と、場合によっては端部の面取りと、塗装や酸化部の除去とが含まれる。整えられる管は工具１に挿入され、そこで管は、ばり取り手段２及び清浄手段３と係合する。工具１は、ユーザによって把持され、管に対して回転されるよう設計されており、工具１は、管の端部近傍の内面をばり取りすると同時に外面を整える。
【００１９】
図１を参照すると、管用ばり取り工具１の一実施形態は本体４を有し、本体４内には清浄手段３が取り付けられている。本体４は、開放端５及び閉止端６を有する断面が円形の管状部材で構成される。閉止端６は、使用中に管を受容するよう構成された開口７を有する。本体４は、ばり取り手段２を支持するベースキャップ８によって閉じられる。
【００２０】
ベースキャップ８は図２に示されており、ばり取り手段２が設けられた円形ベース９を有する。ばり取り手段２はベース９の中心に取り付けられ、ねじによって固定される。しかし、ばり取り手段２は、締まり嵌めや接着剤等の任意の適切な手段によって固定されてよい。ばり取り手段２は、中実のステンレス鋼でできたばり取り部材を有する。ばり取り部材は、縦方向のエッジ１０に丸みがついた三角柱の形状を有する。例えば、切断後の管の端部のめくれがどのようなものであっても、管の挿入が容易になるように、エッジ１０には、ばり取り手段２の自由端に向かってテーパ１９がついている。このテーパ部１９により、テーパ部１９の幅が管の内面に接触するのに十分である限りにおいて、様々な径を有する管をばり取り手段２に挿嵌できる。ばり取り手段２は、ベース９との接合部に、丸みの付いた凹面状のリム２５を有する。ベースキャップ８は、位置決めペグ１１と、ねじを通してベースキャップ８を本体４の適切な位置に固定するための固定穴１２とを有する。ばり取り手段２は、管の端部の内部に嵌った際にエッジ１０が内面に接触するサイズを有する。
【００２１】
図１、図３及び図４を参照すると、本体４は、その外面の周囲に、間隔をおいて配置された複数のグリップリッジ１３を有する。リッジ１３は、ユーザが工具１を把持するのを補助する。本体４の内面からは、３つの固定部材１４が径方向内側に延びている。固定部材１４は、セルフタッピングねじ用の開口１５を有する。開口１５は固定穴１２と整合しており、ベースキャップ８を本体４に固定するために、ねじを受容するよう構成されている。更に、本体４内で清浄手段を保持するための、径方向内側に延びる第１及び第２の取り付けアーム１６及び１７が設けられる。取り付けアーム１６及び１７は、本体４の軸周りに等しい角度で離間されている。第１の取り付けアーム１６は、３対のフィン１６ａ、１６ｂ及び１６ｃを有する。各フィンは、棚状の保持部１８を形成する拡大された自由端を有する。第２の取り付けアーム１７も、本体４の内壁から延出する３対のフィン１７ａ、１７ｂ及び１７ｃを有する。フィン１７ａ、１７ｂ、１７ｃは基部２０を有し、それぞれの基部２０は、対になった他方のフィン１７ａ、１７ｂ、１７ｃの基部２０に向かって延出する。各対のフィン１７ａ、１７ｂ、１７ｃ間の距離は、それらの自由端に向かって減少する。本体４は、取り付けアーム１６及び１７並びに固定部材１４と一体に成形される。
【００２２】
図１及び図３に示されるように、取り付けアーム１６は清浄手段３を受容する。清浄手段３は、少なくとも１つの細長いブラシ２１を有する。整面ブラシ２１は細長い基部２２を有し、基部２２からは、ワイヤブラシフィラメント２４の複数の房２３が延出している。房２３は、基部２２に沿って並んで配置されている。ブラシ２１は、各取り付けアーム１６の１対のフィンが基部２２の両側に延びるようにして、本体４に取り付けられる。棚状の保持部１８が基部２２に当接して、アーム１６内のブラシ２１を保持する。ブラシフィラメント２４は、取り付けアーム１６の間から、本体４の軸に向かって径方向内側に延出する。
【００２３】
２つのタイプの取り付けアーム１６、１７により、同じブラシ２１を、工具１が整える管のサイズに応じて、本体４内の異なる位置に取り付けることができる。従って、同じ型で成形された本体４を用いて、異なるサイズの管用の工具１を作ることができる。更に、ばり取り手段２も、工具１が適応する管のサイズに応じた適切なサイズを有してよい。
【００２４】
工具１を組み立てるには、ブラシ２１を取り付けアーム１６又は１７に挿入し、ベースキャップ８を、開放端５を覆うように配置する。位置決めペグにより、ブラシ２１が適切な位置に保持され、固定穴１２と開口１５との位置決めが補助されるので、ねじ（図示せず）を用いて組立品を一体に固定できる。組み立てられた工具１は図５に示されている。
【００２５】
組み立てられると、ブラシ２１がばり取り部材２を囲み、それらの間の空間に管の端部が受容される。このように、使用中は、管は開口７を通って工具１に挿入される。ばり取り部材２のテーパ部１９は、管をばり取り部材２上にガイドするのに有用である。管は、管の径に応じて、ベースキャップ８、リム２５又はばり取り部材２のテーパ部１９に接触するまで挿入される。このようにして、第１のばり取り手段２は管の内部に延出して管の内面に接触し、ブラシ２１は管の外面に接触する。ブラシ２１の細長い形状により、テーパがついたばり取り手段２が管の内部のどこまで延出するかに関わらず、ブラシ２１は管の端部と確実に接触する。管のばり取り及び整面を行うために、工具１と管とは互いに相対的に回転される。これにより、ばり取り部材２が管の内部のばりを除去し、同時に、ブラシ２１が外面の塗装、酸化部又はばりを除去する。
【００２６】
ばり取り部材２は、相対回転の際に、管の内面の離間した位置に均等な圧力を加えることによって、ばりを除去又はならし、管の内面を滑らかにするよう動作する。
【図面の簡単な説明】
【００２７】
【図１】本発明の工具の一実施形態の切断図
【図２】ばり取り手段（第２の態様のばり取り手段）を含むベースキャップの斜視図
【図３】ベースキャップを外した状態の工具の一実施形態の断面斜視図
【図４】清浄手段を外した状態の図３の平面図
【図５】組み立てた状態の管用ばり取り工具の実施形態を示す図
【符号の説明】
【００２８】
１      管用ばり取り工具
２      ばり取り手段
３      清浄手段
４      本体（筐体）
８      ベースキャップ
９      円形ベース
１９    テーパ部
２１    ブラシ
【図１】
2007223029.tif 000003
【図２】
2007223029.tif 000004
【図３】
2007223029.tif 000005
【図４】
2007223029.tif 000006
【図５】
2007223029.tif 000007
【外国語明細書】
2007223029000001.pdf